(57)【要約】　　　（修正有）【課題】コイン収納部に対しコインを出し入れしやすくて使い勝手が良く、また、コイン収納部に保管されているコインの種類や数を容易に確認することができる財布を提供する。【解決手段】コイン収納部４は、札収納部３の内側面部に折り畳まれてコインを離脱不能に保持すると共に、コイン出し入れ時には上記札収納部の内側面部において上方が開口した箱状体２を形成するように構成されている。コイン収納部は、下端部が上記札収納部に回動可能に固定された側面部５と、この側面部の周縁部に上記札収納部との間に折畳み可能に設けられた立ち上り面部６とを備え、上記側面部は、コイン出し入れ時には上記札収納部の側方に回動して上記立ち上り面部と共に上記箱状体を形成し、コイン収納時には上記立ち上り面部と共に上記札収納部側方に折り畳まれて固定される。【選択図】　　図１
0003099120.tif 000002
【実用新案登録請求の範囲】
【請求項１】
　側面方形状に形成された札収納部とコイン収納部とを有する財布であって、
　上記コイン収納部は、上記札収納部の内側面部に折り畳まれてコインを離脱不能に保持すると共に、コイン出し入れ時には上記札収納部の内側面部において上方が開口した箱状体を形成するように構成され、下端部が上記札収納部に回動可能に固定された側面部と、この側面部の周縁部に上記札収納部との間に折畳み可能に設けられた立ち上り面部とを備え、
上記側面部は、コイン出し入れ時には上記札収納部の側方に回動して上記立ち上り面部と共に上記箱状体を形成し、コイン収納時には上記立ち上り面部と共に上記札収納部側方に折り畳まれて固定されることを特徴とする財布。
【請求項２】
　上記札収納部は２つ折り可能に形成され、上記コイン収納部は上記札収納部における片側半部の内側面部に形成されたことを特徴とする請求項１記載の財布。
【請求項３】
　上記コイン収納部の上方には、上記コイン収納部が上記札収納部に対し折り畳まれた際に、上記コイン収納部の上記側面部の外側に被せて留め具により固定しうるフラップが設けられたことを特徴とする請求項１又は２記載の財布。
【請求項４】
　上記立ち上り面部は、コイン出し入れ時に上記箱状体を形成する際に上記側面部が札収納部の内側面部に対して略直角の状態を保持しうるように形成されていることを特徴とする請求項１、２又は３記載の財布。
【請求項５】
　上記札収納部は幅方向の全長に亘って上方へ開口したポケット状に形成され、上記札収納部の内側面部における反コイン収納部側の片側半部にカード収納ポケット部が設けられ、さらに、札収納部の外側面部に外ポケット部が設けられたことを特徴とする請求項１、２、３又は４記載の財布。
【考案の詳細な説明】
【技術分野】
【０００１】
　　本考案は財布、特にコイン収納部を具えた財布に関する。
【背景技術】
【０００２】
　従来の一般的な財布には、一万円札、５０００円札、１０００円札等の紙幣を保管するための札収納部と、５００円玉、１００円玉、１０円玉、１円玉等のコインを保管するためのコイン収納部とが設けられている。
【０００３】
　上記札収納部は、紙幣を伸ばした状態で収納可能な横長のポケット状に形成されたものが多く、上記コイン収納部も、ポケット状に形成されることが多く、そのコイン収納用ポケットの開口部には被せ蓋が取付けられている。
【０００４】
　上記のように、ポケット状に形成された従来のコイン収納部は、開口部が狭いので、コインを入れる場合はコインがポケットの外に零れ落ちやすく、また、コインを取り出す場合は、指をポケット内部に差し込んでコインを摘みにくかった。したがって、コインを出し入れしにくく、使い勝手が良好とはいえなかった。
【０００５】
　また、従来のポケット状に形成されたコイン収納部は、その内部に保管されているコインが重なり合った状態となることが多いので、コインの種類や数を判別しにくく、コインがどれだけ収納されているかを確認しにくいという不便もあった。
　なお、本出願人は上記の不具合を解消しうる財布を調査したが、関連する先行技術文献を発見できなかった。
【考案の開示】
【考案が解決しようとする課題】
【０００６】
　そこで本考案は、コイン収納部に対しコインを出し入れしやすくて使い勝手が良く、また、コイン収納部に保管されているコインの種類や数を容易に確認することができる財布の提供を課題とする。
【課題を解決するための手段】
【０００７】
　上記課題を解決するために、本考案の財布は、側面方形状に形成された札収納部とコイン収納部とを有する財布であって、上記コイン収納部は、上記札収納部の内側面部に折り畳まれてコインを離脱不能に保持すると共に、コイン出し入れ時には上記札収納部の内側面部において上方が開口した箱状体を形成するように構成され、下端部が上記札収納部に回動可能に固定された側面部と、この側面部の周縁部に上記札収納部との間に折畳み可能に設けられた立ち上り面部とを備え、上記側面部は、コイン出し入れ時には上記札収納部の側方に回動して上記立ち上り面部と共に上記箱状体を形成し、コイン収納時には上記立ち上り面部と共に上記札収納部側方に折り畳まれて固定されることを特徴とするものである。
【０００８】
　これにより、本考案に係る財布にあっては、コイン収納部が側面部の周縁部から立ち上り面部が立ち上がって上方を開口した箱状に形成されたので、開口部が広く、指をコイン収納部に差し込んでコインを摘むことが容易で、コインの出し入れが極めて容易となる。
　また、たとえ、コインがコイン収納部の中で重なり合っていても、そのコイン収納部を揺することにより、コインが容易に拡散するので、コインの種類や数を確認しやすい。
　また、コイン収納時には、コイン収納部の側面部が立ち上り面部と共に札収納部側方に折り畳まれるので、コイン収納部の開口部を塞ぐことができ、これによりコインの落下紛失を防止することができる。
　また、コイン収納部は折り畳み状態となることにより嵩張らず、コンパクトになるので携帯に都合が良い。
【０００９】
　また、本考案の財布は、上記札収納部が２つ折り可能に形成され、上記コイン収納部は上記札収納部における片側半部の内側面部に形成されたものとすることができる。
【００１０】
　これにより、本考案に係る財布にあっては、札収納部を折り畳み状態とすると、コイン収納部が札収納部の間に挟まれた状態となるので、札収納部を展開しない限りコイン収納部が不本意に開くことがない。したがって、コイン収納部だけが開口して、コインが落下紛失することがない。
【００１１】
　また、本考案の財布は、上記コイン収納部の上方に、上記コイン収納部が上記札収納部に対し折り畳まれた際に、上記コイン収納部の上記側面部の外側に被せて留め具により固定しうるフラップが設けられたものとすることができる。
【００１２】
　これにより、本考案に係る財布にあっては、フラップで折り畳み状態のコイン収納部を固定することにより、さらに、コイン収納部の不本意な開口を防止することができる。したがって、コイン収納部からのコインの落下紛失を確実に防止することができる。
【００１３】
　また、本考案の財布は、上記立ち上り面部は、コイン出し入れ時に上記箱状体を形成する際に上記側面部が札収納部の内側面部に対して略直角の状態を保持しうるように形成されているものとすることができる。
【００１４】
　これにより、本考案に係る財布にあっては、上記箱状体の開口した状態が安定して、コインの出し入れ時に箱状体が閉じてしまうようなことがないので、コインの出し入れを不都合なく行なうことができる。
【００１５】
　また、本考案の財布は、上記札収納部は幅方向の全長に亘って上方へ開口したポケット状に形成され、上記札収納部の内側面部における反コイン収納部側の片側半部にカード収納ポケット部が設けられ、さらに、札収納部の外側面部に外ポケット部が設けられたものとすることができる。
【００１６】
　これにより、本考案に係る財布にあっては、紙幣の出し入れが容易であり、また、種々のカードを収納して保持できるという利便性があり、さらに、札収納部の外側面部に設けられた外ポケット部に、すぐに取り出せるように切符等を収納して保持できるという利便性がある。
【考案の効果】
【００１７】
　請求項１記載の本考案の財布は、コイン収納部が側面部の周縁部から立ち上り面部が立ち上がって上方を開口した箱状に形成されたので、従来のポケット状のコイン収納部に比べ、開口面積が格段に広くなる。したがって、コインを入れる場合は外に零れ落ちにくく、又、コインを取り出す場合は、内部に指を入れて確実にコインを摘むことができるので、コインの出し入れが極めて容易となる。
　また、上記側面部が札収納部の内側面部に対し折り畳み可能に形成されるとともに、上記立ち上り面部が上記側面部と札収納部との間に折り込み可能に形成されたので、コイン収納部はコインを収納して折り畳み状態となすことによりコインの落下を防止することができる。
　また、コイン収納部は折り畳み状態となることにより嵩張らずコンパクトになるので携帯に好都合である。
【００１８】
　請求項２記載の本考案の財布は、上記札収納部が２つ折り可能に形成され、上記コイン収納部は上記札収納部における片側半部の内側面部に形成されたので、札収納部を折り畳み状態としたときに、コイン収納部が札収納部の間に挟まれた状態となる。したがって、札収納部を展開しない限り、コイン収納部が不本意に開くことがない。これにより、コイン収納部からの不本意なコインの落下を防止できる。
【００１９】
　請求項３記載の本考案の財布は、上記コイン収納部の上方に、上記コイン収納部が札収納部の内側面部に対し折り畳み状態となったときに、そのコイン収納部の側面部の外側に被せて留め具により固定しうるフラップが設けられたので、フラップで折り畳み状態のコイン収納部を固定することができる。これにより、コイン収納部の不本意な開口がより完全に防止されて、コインの落下を確実に防止することができる。
【００２０】
　請求項４記載の本考案の財布は、上記立ち上り面部は、コイン出し入れ時に上記箱状体を形成する際に上記側面部が札収納部の内側面部に対して略直角の状態を保持しうるので、上記箱状体の開口した状態が安定し、かつ最も広い開口状態を形成できる。したがって、コインの出し入れ時に箱状体が閉じてしまうようなことがなく、コインの出し入れを不都合なく行なうことができる。
【００２１】
　請求項５記載の本考案の財布は、札収納部が幅方向の全長に亘って上方へ開口したポケット状に形成されたので、紙幣の出し入れが容易であり、また、札収納部の内側面部における反コイン収納部側の片側半部にカード収納ポケット部が設けられたので、種々のカードを収納して保持できるという利便性があり、さらに、札収納部の外側面部にも外ポケット部が設けられたので、すぐに取り出す必要のある切符等を収納して保持できるという利便性がある。
【考案を実施するための最良の形態】
【００２２】
　以下、添付した図面を用いて本考案の実施の形態について説明する。
　まず、本実施の形態に係る財布１は、図１〜図３に示すように、側面長方形状に形成された札収納部３とコイン収納部４とを有する財布であって、
　上記コイン収納部４は、上記札収納部３の内側面部に折り畳まれてコインを離脱不能に保持すると共に、コイン出し入れ時には上記札収納部３の内側面部において上方が開口した箱状体２を形成するように構成され、下端部が上記札収納部３に回動可能に固定された側面部５と、この側面部５の周縁部に上記札収納部３との間に折畳み可能に設けられた立ち上り面部６とを備え、
　上記側面部５は、コイン出し入れ時には上記札収納部３の側方に回動して上記立ち上り面部６と共に上記箱状体２を形成し、コイン収納時には上記立ち上り面部６と共に上記札収納部３側方に折り畳まれて固定されるように構成されている。
そして、上記札収納部３は、図４に示すように、２つ折り可能に形成され、上記コイン収納部４は、図１〜図３に示すように、上記札収納部３における片側半部の内側面部に形成されている。
　また、上記コイン収納部４の上方には、図１〜図３に示すように、上記コイン収納部４が上記札収納部３に対し折り畳まれた際に、上記コイン収納部４の上記側面部５の外側に被せて留め具７により固定しうるフラップ８が設けられている。
　また、図１及び図２に示すように、上記立ち上り面部６は、コイン出し入れ時に上記箱状体２を形成する際に上記側面部５が上記札収納部３の内側面部に対して略直角の状態を保持しうるように形成されている。
　また、図１〜図３に示すように、上記札収納部３は幅方向の全長に亘って上方へ開口したポケット状に形成され、上記札収納部３の内側面部における反コイン収納部４側の片側半部にカード収納ポケット部９が設けられ、さらに、図４に示すように、札収納部３の外側面部に外ポケット部１０が設けられている。
【実施例１】
【００２３】
　本実施例に係る上記札収納部３は、図１及び図３に示すように、展開状態において横幅が広い長方形状で、その幅方向の中心部で２つ折り可能に形成されている。
　そして、上記札収納部３は、図４に示すように、２つ折り状態にしたときは、略正方形になるように形成されている。
【００２４】
　本実施例に係る財布１は、表地に皮革が、裏地に布がそれぞれ使用されて形成されているが、使用する素材は自由であり、これに限定するものではない。なお、図では表地と裏地を区別せず、両者を一体として表している。
【００２５】
　上記札収納部３は、図１及び図３に示すように、幅方向の全長に亘って上方を開口したポケット状に形成されている。この札収納部３は、図２に示すように、外側面部材１１と内側面部材１２との間に形成されている。なお、内側面部材１２は、外方材１２ａ、中間材１２ｂ及び内方材１２ｃを有して３重構造に形成されている。
【００２６】
　上記札収納部３における幅方向の片側半部における内側面部には、図１〜図３に示すように、コイン収納部４が形成されている。このコイン収納部４は上記内側面部材１２における内方材１２ｃの内方側面部に形成されている。
【００２７】
　上記コイン収納部４は、図１及び図２に示すように、側面部５と立ち上り面部６とによって構成されている。上記側面部５は、その下端部が上記内側面部材１２の下端部に縫合して接続されている。
【００２８】
　上記側面部５は略正方形に形成され、図１及び図２に示すように、上記内側面部材１２に対し内方へ回動して立ち上り面部６により支持されて略直角に折れ曲がり、水平な展開状態となりうるように形成されている。
【００２９】
　また、上記側面部５は、図１及び図２に示す状態から内側面部材１２の側へ回動することにより起き上がって、図３に示すように、上記内側面部材１２の内側に折り畳み状態となりうるように形成されている。
【００３０】
　上記立ち上り面部６は上記側面部５の周縁部に下端部を接合して形成され、上記のように側面部５が起き上がって上記内側面部材１２の内側に折り畳み状態となったときは、図３に示すように、その側面部５と内側面部材１２との間に折り込まれて挟まれるように形成されている。
【００３１】
　なお、上記立ち上り面部６は、図１に示すように、左右の横面部位６ａ，６ｂが折り込まれてから、その上に前面部位６ｃが折り込まれるように形成されている。
　そして、左右の横面部位６ａ，６ｂは、中央部位がまず内方へ略三角形に折り込まれてから、その上に両端部位もそれぞれ略三角形に折り込まれるように形成されている。
【００３２】
　上記立ち上り面部６は、上記側面部５が上記のように上記内側面部材１２に対し略直角に折れ曲がって水平な展開状態となったときは、図１及び図２に示すように、立ち上がって、上記側面部５と共に、その内側にコインを収納しうる凹状部１３を有する箱状体２を形成する。
　そして、上記立ち上り面部６は、コイン出し入れ時に上記箱状体２を形成する際に上記側面部５が上記札収納部３の内側面部に対して略直角の状態を保持しうるように形成されている。
【００３３】
　図１〜図３に示すように、上記コイン収納部４の上方、すなわち、上記内側面部材１２の上縁部にはフラップ８が取り付けられている。このフラップ８には、図２に示すように、その先端近傍の内面部に留め具７として雄ホック１４が取り付けられている。
【００３４】
　上記コイン収納部４を構成する上記側面部５の下面側には、図２に示すように、留め具７として雌ホック１５が取り付けられている。
【００３５】
　上記の雄ホック１４と雌ホック１５は、上記コイン収納部４の側面部５を上記のように内側面部材１２に対し折り畳み状態として、上記フラップ８を上記側面部５の外側に被せた場合に、ちょうど位置が一致して互いに結合しうるように配置されている。
【００３６】
　なお、本実施例では上記留め具７として上記のように雄ホック１４と雌ホック１５を使用しているが、使用する留め具７の種類は自由であり、例えば面ファスナ等を使用することも可能である。
【００３７】
　上記札収納部３の内側面部において、反コイン収納部４側の片側半部には、図１〜図３に示すように、複数のカード収納ポケット部９が形成されている。これらカード収納ポケット部９はコイン収納部４側の側方を開口している。
【００３８】
　また、図４に示すように、上記札収納部３の外側面部にも外ポケット部１０が形成されている。この外ポケット部１０には、すぐに取り出す必要のある切符等の物品を収納することができる。
【００３９】
　また、図２に示すように、上記内側面部材１２を構成する上記中間材１２ｂと内方材１２ｃとの間にも上方を開口したポケット部１６が形成されている。
【００４０】
　同じく、図２に示すように、上記内側面部材１２を構成する上記外方材１２ａと中間材１２ｂとの間にも、上記カード収納ポケット部９側の側方を開口したポケット部１７が形成されている。
【００４１】
　以下、本実施例に係る財布１の作用について説明する。
　まず、コイン収納部４に対しコインを出し入れする場合は、図１及び図２に示すように、コイン収納部４の上記側面部５を上記内側面部材１２に対し略直角に折り曲げて水平な展開状態となすことにより、上記立ち上り面部６を立ち上げて、その立ち上り面部６の内側に凹状部１３を有する箱状体２を形成する。そして、その箱状体２にコインを入れ、又、その箱状体２に手を入れてコインを指で摘み出すことができる。
【００４２】
　この場合、上記箱状体２の凹状部１３は、従来のポケット状のコイン収納部に比べて開口面積が格段に広いので、コインの出し入れが頗る容易である。
【００４３】
　次に、コイン収納部４にコインを保管する場合は、まず、上記箱状体２の凹状部１３にコインを入れてから、上記立ち上り面部６の左右横面部位６ａ，６ｂを折り込むとともに、前面部位６ｃを折り込んで、開口部を閉じた状態とする。
　その後、上記側面部５を起こして内側面部材１２に対し折り畳み状態となし、上記フラップ８を上記側面部５の外側に被せて、そのフラップ８を上記留め具７により固定する。これにより、コイン収納部４は閉じた状態を維持することができ、コインの落下紛失が防止される。
【産業上の利用可能性】
【００４４】
　本考案は、コイン収納部を有する全ての財布に適用可能である。
【図面の簡単な説明】
【００４５】
【図１】本実施の形態に係る財布のコイン収納部を開口した状態を示す斜視図である。
【図２】図１のＡ−Ａ線における断面図である。
【図３】本実施の形態に係る財布のコイン収納部を閉じた状態を示す斜視図である。
【図４】本実施の形態に係る財布の札収納部を２つ折りした状態を示す斜視図である。
【符号の説明】
【００４６】
１　財布
２　箱状体
３　札収納部
４　コイン収納部
５　側面部
６　立ち上り面部
６ａ　横面部位
６ｂ　横面部位
６ｃ　前面部位
７　留め具
８　フラップ
９　カード収納ポケット部
１０　外ポケット部
１１　外側面部材
１２　内側面部材
１２ａ　外方材
１２ｂ　中間材
１２ｃ　内方材
１３　凹状部
１４　雄ホック
１５　雌ホック
１６　ポケット部
１７　ポケット部
【図１】
0003099120.tif 000003
【図２】
0003099120.tif 000004
【図３】
0003099120.tif 000005
【図４】
0003099120.tif 000006